【事件の表示】
　平成　９年特許願第　５６２１５号「電子音楽再生装置、及びこれに用いられる映像記憶部並びに再生装置」拒絶査定に対する審判事件［平成　９年１０月２１日出願公開、特開平　９−２７４４９２］について、次のとおり審決する。
【結　論】
　本件審判の請求は、成り立たない。
【理　由】
1．本願発明
　本願は、平成２年９月２８日に出願された実願平２―１０２６２６号を特許法第４６条第１項の規定により平成９年３月１１日に特許出願に変更したものであって、その特許請求の範囲に記載された発明は「電子音楽再生装置、及びこれに用いられる映像記憶部並びに再生装置」に係るものと認められるところ、その請求項１に係る発明（以下「本願発明」という）は、次のとおりのものである。
「【請求項１】　楽曲のデジタル楽音情報に基づいて音楽を再生する音楽再生手段と、
　背景映像とともに、歌詞表示のための基本データを格納した映像記憶部と、
　前記映像記憶部に格納された映像情報に基づいて、背景映像を再生するとともに、歌詞表示を再生する映像再生手段と、
　前記音楽の再生と共に映像の表示制御を行なう制御部とを備え、
　前記制御部は、前記基本データとは別の、前記デジタル楽音情報に基づいて再生される主旋律の進行に対応して、映像記憶部から読み出された基本データに基づいて一画面分の歌詞の表示を指示するテロップ表示指示情報と、表示された歌詞文字表示の色変化を行わせる色換え指示情報と、表示された歌詞の消去を指示する消去指示情報とから成る歌詞表示指示情報に基づき歌詞の表示制御を行うことを特徴とする電子音楽再生装置。」
 ２．刊行物発明
 　これに対して、原審の拒絶の理由に引用された、本願の出願日前である平成２年７月１９日に頒布された「特開平２―１８５１５９号公報」（以下「刊行物」という。）には、次の事項が記載されている。
（１）「一般に、カラオケではアンプを通してスピーカから楽曲が流れると共に、ＣＲＴなどのディスプレイに楽曲に対応した歌詞が順次表示されるものである」（１頁右下欄１５行ないし１８行）
（２）「本発明ではデジタル符号化された歌詞情報および楽曲情報をデータベースとして保存し、…（中略）…カラオケの再生を行う技術を前提としている」（２頁左上欄１行ないし５行）
（３）「楽曲情報および歌詞情報から成るカラオケ情報のうち上記歌詞情報を記憶する第１のビデオメモリと、上記歌詞情報の記憶容量に対応する容量を有すると共に、上記歌詞情報の一単位を順次表示可能な窓を記憶する第２のビデオメモリと、上記２つのビデオメモリの記憶内容を演算処理するＣＰＵと、このＣＰＵで演算された上記２つのビデオメモリの記憶内容をビデオ信号に変換するビデオプロセッサと、歌詞を表示するディスプレイと、上記楽曲情報中に規定し、このディスプレイに表示された歌詞の色および背景色を変更する色変更信号を受信し、上記ＣＰＵに出力するインターフェイスとによってカラオケ用ディスプレイの歌詞表示装置を構成した。…（中略）…さらに、光ディスクに収容した動画情報と、歌詞情報とを合成し、ディスプレイに表示するという手段をも用いた。…（中略）…第１のビデオメモリは視覚情報である歌詞情報の１曲分の記憶容量を持つ。また、第２のビデオメモリもこれに対応する記憶容量を有するが、歌詞情報の所定の単位を順次表示することができる窓を有し、ディスプレイに表示された歌詞のうち所定の単位を窓で囲む機能を持つ。…（中略）…色変更信号は楽曲情報中に設定され、楽曲の進行に従って送信される色変更信号がインターフェイスを介してＣＰＵに入力され、第２のビデオメモリの窓を正方向へ移動させ、楽曲のメロディーに対応した歌詞を指摘すると共に、色指定によって窓のなかの歌詞および背景色を適宜変更する作用を行う。…（中略）…さらに、ビデオプロセッサは他の光ディスクに収容した動画情報を入力することにより、これと歌詞情報とを合成し、ディスプレイに表示するいわゆるスーパーインポーズの機能も有する。…（中略）…２は外部から入力されたデータを演算・処理するためのＣＰＵで楽曲情報と歌詞情報を平行して処理するものである。」（２頁右上欄６行ないし３頁左上欄１３行）
（４）「８はＣＲＴや液晶パネルなどのディスプレイで、歌詞全体を表示しつつ再生されつつある楽曲に対応した歌詞を追随し、さらに歌詞の色および背景色を適宜変更して表示するものである。…（中略）…カラオケ情報は、歌詞情報に関しては第１のビデオメモリに、楽曲情報に関しては楽曲メモリ５にそれぞれ記憶される。次にこれらのメモリ内容に従って装置が駆動されるのであるが、ＣＰＵ２は楽曲情報の内容を解析して音楽信号に処理しつつ、歌詞情報を第１のビデオメモリ３から取り出してビデオプロセッサ７を通じてディスプレイ８に歌詞の内容を表示する。続いて楽曲メモリ５からの情報の取り出しに応じて色変更信号も出力されているが、この信号をインターフェイス６によって受信し、ＣＰＵ２に入力される。このようにすると、第２のビデオメモリ４に記憶された窓の位置を信号分進行させ、さらに必要に応じてディスプレイ８に背景色を変更する信号がビデオプロセッサ７に出力され、これと第１にビデオメモリ３の内容が合成され、ディスプレイ８から表示される。この場合、ディスプレイ８の表示において窓の中の文字の色と背景色とが同一色に成るように指定しておけば、歌い終わった歌詞が順次消去されてゆくことになる。さらに、区切り区切りなどで背景色の変更を行うようにしておけば、使用上の効果が大きい…（中略）…色変更信号は、各々１ビットの内容でパルス出力になるように楽曲情報に混在しておけば、この信号と同時に１文字ずつ歌詞を進行させることができる。ただし、色の変更用には別個の色情報を混在させる必要がある。一方、色変更信号として複数ビットを割り当てておけば、複数文字を一挙に消去させたり、同時に色を変更させたりすることができる。さらに、ビット数を多く割り当てておけば楽曲の再生開始から何文字分消去させるかも指定することができるが、この場合には楽曲の途中から再生した場合でも楽曲の進行に確実に対応させることができ、さらに便利である。」（３頁右上欄１５行ないし右下欄２０行）
（５）「動画情報をビデオプロセッサに入力し、これと歌詞とを合成して出力すればディスプレイには動画の背景が表示されることになる」（４頁左下欄５行ないし７行）
　これらの記載事項からして、刊行物には、「デジタル符号化された歌詞情報および楽曲情報により、アンプを通してスピーカから楽曲が流れると共に、ＣＲＴなどのディスプレイに楽曲に対応した歌詞が順次表示されるカラオケの再生を行う技術を前提として、ＣＰＵで楽曲情報と歌詞情報を平行して処理する装置であって、歌詞情報に関しては第１のビデオメモリに、楽曲情報に関しては楽曲メモリにそれぞれ記憶され、ＣＰＵ２は楽曲情報の内容を解析して音楽信号に処理しつつ、歌詞情報を第１のビデオメモリから取り出してビデオプロセッサを通じてディスプレイに歌詞の内容を表示するものであり、楽曲情報および歌詞情報から成るカラオケ情報のうち上記歌詞情報を記憶する第１のビデオメモリと、上記歌詞情報の記憶容量に対応する容量を有すると共に、上記歌詞情報の一単位を順次表示可能な窓を記憶する第２のビデオメモリと、上記２つのビデオメモリの記憶内容を演算処理するＣＰＵと、このＣＰＵで演算された上記２つのビデオメモリの記憶内容をビデオ信号に変換するビデオプロセッサと、歌詞を表示するディスプレイと、上記楽曲情報中に規定し、このディスプレイに表示された歌詞の色および背景色を変更する色変更信号を受信し、上記ＣＰＵに出力するインターフェイスとによって構成したカラオケ用ディスプレイの歌詞を表示するものであり、上記第１のビデオメモリは視覚情報である歌詞情報の１曲分の記憶容量を持ち、上記第２のビデオメモリもこれに対応する記憶容量を有し、歌詞情報の所定の単位を順次表示することができる窓で、ディスプレイに表示された歌詞のうち所定の単位を囲む機能を持ち、上記色変更信号は楽曲情報中に設定され、各々１ビットの内容でパルス出力になるように楽曲情報に混在しておけば、この信号と同時に１文字ずつ歌詞を進行させることができ、楽曲の進行に従って送信される上記色変更信号がインターフェイスを介してＣＰＵに入力され、第２のビデオメモリの窓を正方向へ移動させ、楽曲のメロディーに対応した歌詞を指摘すると共に、色指定によって窓のなかの歌詞および背景色の変更、窓の中の文字の色と背景色とが同一色に成るように指定して歌詞の消去を行い、上記ビデオプロセッサは他の光ディスクに収容した、背景である動画情報を入力することにより、これと歌詞情報とを合成し、ディスプレイに表示するいわゆるスーパーインポーズの機能も有するものであり、ＣＲＴや液晶パネルなどのディスプレイで、歌詞全体を表示しつつ再生されつつある楽曲に対応した歌詞を追随し、さらに歌詞の色および背景色を適宜変更して表示するものであり、楽曲の再生開始から何文字分消去させるかも指定することができ、楽曲の途中から再生した場合でも楽曲の進行に確実に対応させることができる装置。」（以下「刊行物発明」という）が記載されていると認められる。
３．本願発明と刊行物発明との対比
　本願発明と刊行物発明を対比すると、
（ａ）刊行物発明の「ビデオプロセッサ」は、記憶手段である光ディスクに収容された背景（映像）である動画情報を入力することにより、これと歌詞情報とを合成し、ディスプレイに表示するスーパーインポーズの機能を有するものであるから、本願発明の「映像再生手段」に相当する。
（ｂ）刊行物発明の「歌詞情報」は、ビデオプロセッサにより背景（映像）である動画情報と合成される視覚情報であり、歌詞表示のためのものであるから、本願発明の「基本データ」に相当する。
（ｃ）刊行物発明の「色変更信号」は、第１のビデオメモリに記憶された、上記（ｂ）の如く本願発明の基本データに相当する歌詞情報とは別であって、楽曲メモリに記憶された楽曲情報に混在しており、楽曲の進行に従って送信され、インターフェイスを介してＣＰＵに入力され、上記歌詞情報の表示のため第２のビデオメモリの窓を正方向へ移動させ、楽曲のメロディーに対応した歌詞を指摘する情報となるから、本願発明の「テロップ表示指示情報」に相当する。
（ｄ）刊行物発明の「色変更信号」は、色指定によって窓のなかの歌詞および背景色の変更をする情報となるから、本願発明の「色換え指示情報」に相当する。
（ｅ）刊行物発明の「色変更信号」は、窓の中の文字の色と背景色とが同一色に成るように指定して歌詞の消去をする情報となるから、本願発明の「消去指示情報」に相当する。
（ｆ）刊行物発明の「色変更信号」は、上記（ｃ）（ｄ）（ｅ）の如く「テロップ表示指示情報」「色換え指示情報」「消去指示情報」となるから、本願発明の「歌詞表示指示情報」に相当する。
（ｇ）刊行物発明の「ＣＰＵ」は、上記２つのビデオメモリの記憶内容を演算処理するものであり、上記（ｆ）の如く本願発明の歌詞表示指示情報に相当する上記色変更信号に基づき、第２のビデオメモリの窓を正方向へ移動させ、楽曲のメロディーに対応した歌詞を指摘すると共に、色指定によって窓のなかの歌詞および背景色の表示、変更、歌詞の消去を行うものであるから、歌詞の表示制御を行うものであり、また、楽曲情報の内容を解析して音楽信号に処理しつつ、歌詞情報を第１のビデオメモリから取り出してビデオプロセッサを通じてディスプレイに歌詞の内容を表示するものであるから、本願発明の「制御部」に相当する。
（ｈ）したがって、両者は「記憶手段に格納された映像情報に基づいて、背景映像を再生するとともに、歌詞表示を再生する映像再生手段と、音楽の再生と共に映像の表示制御を行なう制御部とを備え、前記制御部は、前記基本データとは別の、前記デジタル楽音情報に基づいて再生される主旋律の進行に対応して、映像記憶部から読み出された基本データに基づいて一画面分の歌詞の表示を指示するテロップ表示指示情報と、表示された歌詞文字表示の色変化を行わせる色換え指示情報と、表示された歌詞の消去を指示する消去指示情報とから成る歌詞表示指示情報に基づき歌詞の表示制御を行うことを特徴とする装置。」である点で一致し、次の点で相違しているものと認められる。
（１）本願発明は、「楽曲のデジタル楽音情報に基づいて音楽を再生する音楽再生手段を有する電子音楽再生装置。」であるのに対し、刊行物発明では、明確な記載がない点。
（２）本願発明は、「背景映像とともに、歌詞表示のための基本データを格納した映像記憶部」を有するものであるのに対し、刊行物発明では、基本データに相当する歌詞情報が「第１のビデオメモリ」に記憶され、背景（映像）である動画情報は「光ディスク」に記憶されている点。
４．相違点についての検討
　相違点（１）について
　刊行物発明は、デジタル符号化された歌詞情報および楽曲情報により、アンプを通してスピーカから楽曲が流れると共に、ＣＲＴなどのディスプレイに楽曲に対応した歌詞が順次表示されるカラオケの再生を行う技術を前提とする装置であり、ＣＰＵで楽曲情報と歌詞情報を平行して処理するものであり、ＣＰＵは楽曲情報の内容を解析して音楽信号に処理し、ＣＲＴや液晶パネルなどのディスプレイで、歌詞全体を表示しつつ再生されつつある楽曲に対応した歌詞を追随して表示するものであり、楽曲の再生開始から（歌詞を）何文字分消去させるかも指定することができ、楽曲の途中から再生した場合でも楽曲の進行に確実に対応させることができるものである。このことから、刊行物発明は、デジタル符号化した電子情報である楽曲情報から音楽を再生するものであり、上記音楽信号を受けて発音する周知の音楽再生装置を付加して「音楽再生手段を有する電子音楽再生装置」とすることは、当業者が容易に推考し得た程度のものである。
　相違点（２）について
　刊行物発明の、視覚情報であり本願発明の基本データに相当する歌詞情報の記憶手段（第１のビデオメモリ）と、背景である動画情報の記憶手段（光ディスク）とはメモリの種別が異なっているものの、いずれもディスプレイに表示するための映像情報を記憶しているのであるから、これら記憶手段全体が本願発明の映像記憶部に対応する。そして、当該映像記憶部の記憶手段の構成をどのようにするかについては、記憶装置の使用形態、効率等を考慮し適宜選択し得るものであるから、この点は、当業者が容易に推考し得た程度のものである。
　そして、これら相違点を総合的にみても、当業者が容易に推考し得た程度のものであり、また、上記相違点に基く本願発明の効果に格別顕著なものがあるともいえない。
５．むすび
　したがって、本願発明は、刊行物に記載された発明に基いて当業者が容易に発明をすることができたものであるので、特許法第２９条第２項の規定により特許を受けることができない。
　よって、結論のとおり審決する。